(57)【要約】【課題】組立作業性の向上を図ることができるＬＥＤユニット及びそれを備えた照明器具を提供する。【解決手段】ＬＥＤユニット３は、複数のＬＥＤ３００が実装面３０１ａに実装される長尺の実装基板３０１と、導光板５と、複数のＬＥＤ３００の光が導光板５の一端面５ａへ入射するように実装基板３０１が配置される取付板３１０と、実装基板３０１を取付板３１０に固定する固定部材７と、を備えている。固定部材7は、長尺のスペーサ７ｂを有している。スペーサ７ｂは、複数のＬＥＤ３００のうち隣接する２つのＬＥＤ３００の間、かつ導光板５の一端面５ａと実装面３０１ａとの間に設けられている。スペーサ７ｂは、実装基板３０１の厚み方向において、実装面３０１ａからの高さが複数のＬＥＤ３００の高さよりも高い。【選択図】図１
2018006096.tif 000002
【特許請求の範囲】
【請求項１】
複数のＬＥＤと、
長手方向に沿って前記複数のＬＥＤが実装面に実装される長尺の実装基板と、
前記複数のＬＥＤの光を導光して外部に出射する導光板と、
前記複数のＬＥＤの光が前記導光板の一端面へ入射するように前記実装基板が配置される取付板と、
前記実装基板を前記取付板に固定する固定部材と、を備え、
前記固定部材は、長尺のスペーサを有しており、
前記スペーサは、長手方向が前記実装基板の短手方向に沿うように配置され、
前記スペーサは、前記複数のＬＥＤのうち隣接する２つのＬＥＤの間、かつ前記一端面と前記実装面との間に設けられており、
前記スペーサは、前記実装基板の厚み方向において、前記実装面からの高さが前記複数のＬＥＤの高さよりも高いことを特徴とするＬＥＤユニット。
【請求項２】
前記スペーサは、前記隣接する２つのＬＥＤの間において、短手方向に沿った幅が前記実装面から離れるにつれより狭いこと特徴とする請求項１記載のＬＥＤユニット。
【請求項３】
前記スペーサは、少なくとも表面が前記複数のＬＥＤからの光を拡散反射する材質で形成されることを特徴とする請求項１又は請求項２に記載のＬＥＤユニット。
【請求項４】
前記固定部材は、前記実装基板の厚み方向に沿って突出する突出片を有しており、
前記突出片は、前記実装基板の側端縁と当たり、前記スペーサが前記実装面において前記側端縁と交差する方向へ回転することを規制することを特徴とする請求項１から請求項３のいずれか１項に記載のＬＥＤユニット。
【請求項５】
前記実装基板は、前記実装基板の厚み方向に沿って、前記実装面から突出する突起部を有しており、
前記突起部は、前記実装面において、前記スペーサの長手方向と交差する方向への回転を規制することを特徴とする請求項１から請求項４のいずれか１項に記載のＬＥＤユニット。
【請求項６】
前記固定部材は、固定本体と、挟持片と、を有し、
前記固定本体と前記挟持片とは、前記実装基板の厚み方向に沿って、前記実装基板及び前記取付板を介して対向して配置されており、
前記固定部材は、前記固定本体と前記挟持片とで、前記実装基板の端部を厚み方向から挟み持つクリップ構造を有することを特徴とする請求項１から請求項５のいずれか１項に記載のＬＥＤユニット。
【請求項７】
請求項１から請求項６のいずれか１項に記載のＬＥＤユニットと、該ＬＥＤユニットが取り付けられる器具本体と、を備えた照明器具。
【発明の詳細な説明】
【技術分野】
【０００１】
本発明は、ＬＥＤユニット及びそれを備えた照明器具に関し、より詳細には、導光板を備えたＬＥＤユニット及びそれを備えた照明器具に関する。
【背景技術】
【０００２】
従来、導光板の一端面から入射したＬＥＤ(light emitting diode)の光を面状に出射するＬＥＤユニットを備えた照明器具が利用されている。
【０００３】
この種の照明器具の構成としては、複数のＬＥＤと、複数のＬＥＤが等間隔で配置される基板と、導光板と、保持部材と、スペーサと、を備えた構成が知られている（例えば、特許文献１）。
【０００４】
特許文献１の構成では、基板は、保持部材に保持される。基板は、導光板の一端面である入射部に対向する位置に配置される。導光板は、ＬＥＤから出る光を導光して外部に出射する。スペーサは、導光板の一端面とＬＥＤとの間隔を一定に保持する。照明器具は、導光板の一端面から入射したＬＥＤの光を導光板の両側面から照射する。
【０００５】
特許文献１では、スペーサが導光板の一端面とＬＥＤとの間隔を一定に保持するので、ＬＥＤへの加圧を無くしＬＥＤの損傷を防ぐことができる、としている。
【先行技術文献】
【特許文献】
【０００６】
【特許文献１】特開２０１５−３２３９５号公報
【発明の概要】
【発明が解決しようとする課題】
【０００７】
ところで、ＬＥＤユニットでは、より組立作業性の向上を図れる構成が求められており、上述の特許文献１の構成だけでは十分でなく、更なる改良が求められている。
【０００８】
本発明の目的は、組立作業性の向上を図れるＬＥＤユニット及びそれを備えた照明器具を提供することにある。
【課題を解決するための手段】
【０００９】
本発明の一態様に係るＬＥＤユニットは、複数のＬＥＤと、実装基板と、導光板と、取付板と、固定部材と、を備えている。上記実装基板は、長尺の外形形状をしている。上記実装基板は、長手方向に沿って、上記複数のＬＥＤが実装面に実装される。上記導光板は、上記複数のＬＥＤの光を導光して外部に出射する。上記取付板は、上記複数のＬＥＤの光が上記導光板の一端面へ入射するように、上記実装基板が配置される。上記固定部材は、上記実装基板を上記取付板に固定する。上記固定部材は、スペーサを有している。上記スペーサは、長尺の外形形状をしている。上記スペーサは、長手方向が上記実装基板の短手方向に沿うように、配置される。上記スペーサは、上記複数のＬＥＤのうち、隣接する２つのＬＥＤの間に設けられる。上記スペーサは、上記一端面と上記実装面との間に設けられる。上記スペーサは、上記実装基板の厚み方向において、上記実装面からの高さが上記複数のＬＥＤの高さよりも高い。
【００１０】
本発明の一態様に係る照明器具は、上述のＬＥＤユニットと、器具本体と、を備える。器具本体は、上記ＬＥＤユニットが取り付けられる。
【発明の効果】
【００１１】
本発明のＬＥＤユニット及びそれを備えた照明器具は、組立作業性の向上を図ることができる。
【図面の簡単な説明】
【００１２】
【図１】図１は、本発明の実施形態に係る照明器具の要部を示す一部破断した分解斜視図である。
【図２】図２は、同上の照明器具の別の要部を示す一部破断した断面図である。
【図３】図３は、同上の照明器具の他の要部を示す一部破断した正面図である。
【図４】図４は、同上の照明器具を示す分解斜視図である。
【図５】図５Ａは、同上の照明器具を示す正面図、図５Ｂは、同上の照明器具を示す左側面図、図５Ｃは、同上の照明器具を示す背面図である。
【図６】図６は、同上の照明器具を示す断面図である。
【図７】図７は、同上の照明器具を示す斜視図である。
【図８】図８は、同上の変形例１の照明器具の要部を示す一部破断した側断面図である。
【図９】図９は、同上の変形例２の照明器具の要部を示す一部破断した正面図である。
【図１０】図１０は、同上の変形例３の照明器具の要部を示す一部破断した正面図である。
【図１１】図１１は、同上の変形例３の照明器具の別の要部を示す一部破断した斜視図である。
【図１２】図１２は、同上の変形例３の照明器具の他の要部を示す斜視図である。
【発明を実施するための形態】
【００１３】
以下では、本実施形態のＬＥＤユニット３及びそれを備えた照明器具１Ｘについて、図１ないし図７に基づいて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１４】
本実施形態のＬＥＤユニット３は、図１に示すように、複数のＬＥＤ３００と、実装基板３０１と、導光板５と、取付板３１０と、固定部材７と、を備えている。図１では、３つの固定部材７を図示している。実装基板３０１は、長尺の外形形状をしている。実装基板３０１は、長手方向に沿って、複数のＬＥＤ３００が実装面３０１ａに実装される。導光板５は、複数のＬＥＤ３００の光を導光して外部に出射する。取付板３１０は、複数のＬＥＤ３００の光が導光板５の一端面５ａへ入射するように、実装基板３０１が配置される。固定部材７は、実装基板３０１を取付板３１０に固定する。固定部材７は、図２及び図３に示すように、スペーサ７ｂを有している。図２に示す固定部材７は、図３のＸＸ断面で例示している。スペーサ７ｂは、長尺の外形形状をしている。スペーサ７ｂは、長手方向が実装基板３０１の短手方向に沿うように、配置される。スペーサ７ｂは、複数のＬＥＤ３００のうち、隣接する２つのＬＥＤ３００の間に設けられる。スペーサ７ｂは、一端面５ａと実装面３０１ａとの間に設けられる。スペーサ７ｂは、実装基板３０１の厚み方向において、実装面３０１ａからの高さが複数のＬＥＤ３００の高さよりも高い。
【００１５】
本実施形態のＬＥＤユニット３は、固定部材７が長尺のスペーサ７ｂを有し、スペーサ７ｂが隣接する２つのＬＥＤ３００の間、かつ一端面５ａと実装面３０１ａとの間に設けられ、スペーサ７ｂの高さがＬＥＤ３００よりも高い構成で、組立作業性の向上を図れる。
【００１６】
以下では、本実施形態に係る照明器具１Ｘについて、より詳細に説明する。照明器具１Ｘは、図４に示すように、器具本体２と、４つのＬＥＤユニット３と、を備えている。照明器具１Ｘは、更に、反射部材４と、電源ユニット６と、を備えている。
【００１７】
器具本体２は、図４に示すように、有底角筒状の外形形状をしている。器具本体２は、底板２０と、４つの側板２１と、２つの補強板２２と、を有している。器具本体２は、第１端子台１０と、第２端子台１１と、２つの引掛ばね１２と、を備えている。
【００１８】
底板２０は、矩形平板状の外形形状をしている。底板２０は、金属板によって形成される。金属板の材料としては、例えば、鋼板が挙げられる。底板２０は、図５Ｃに示すように、４つの取付孔２３を有している。４つの取付孔２３は、底板２０の背面視において、矩形状の対向する２組の辺のうち、一方の対向する１組の辺の中央部において、他方の対向する１組の辺の長手方向に沿って設けられる。各取付孔２３それぞれは、底板２０の厚み方向に貫通する。各取付孔２３それぞれは、底板２０の背面視において、円形の外形形状をしている。
【００１９】
底板２０は、更に、図４及び図５Ｃに示すように、２つの電線挿通孔２４と、引掛孔２５と、を有している。２つの電線挿通孔２４と引掛孔２５とは、底板２０の背面視において、４つの取付孔２３が並ぶ方向と交差する方向に沿って設けられる。
【００２０】
各電線挿通孔２４それぞれは、底板２０の厚み方向に貫通する。各電線挿通孔２４それぞれは、底板２０の背面視において、円形の外形形状をしている。２つの電線挿通孔２４のうち、一方の電線挿通孔２４は、底板２０の中央部に配置される。２つの電線挿通孔２４のうち、他方の電線挿通孔２４は、一方の電線挿通孔２４と比較して、底板２０の端側に配置される。各電線挿通孔２４それぞれは、グロメット２４ａが嵌め込まれる。一方の電線挿通孔２４には、電灯線が挿通される。電灯線は、電力系統からの電力が供給される給電用の電線である。他方の電線挿通孔２４には、信号線が挿通される。信号線は、調光信号が伝送される電線である。引掛孔２５は、底板２０の厚み方向に貫通する。引掛孔２５は、底板２０の背面視において、長方形の外形形状をしている。
【００２１】
４つの側板２１の各々は、主部２１０と、連結部２１１と、外鍔部２１２と、を有している。主部２１０は、長尺に形成される。主部２１０は、矩形板状の外形形状をしている。主部２１０は、長手方向に沿って、短手方向の一端に連結部２１１が設けられる。連結部２１１は、長尺の外形形状をしている。連結部２１１は、図２に示すように、連結部２１１の長手方向から見て、連結部２１１の短手方向の一端部分がＬ字状の外形形状をしている。連結部２１１は、長手方向に沿って、一端部分が主部２１０の短手方向の一端と連結される。連結部２１１は、長手方向に沿って、一端部分と反対の他端が底板２０と連結される。
【００２２】
外鍔部２１２は、長尺の外形形状をしている。外鍔部２１２は、主部２１０の一端と反対の他端から主部２１０の厚み方向に沿って外方に突出する。言い換えれば、外鍔部２１２は、底板２０から離れる向きに突出している。外鍔部２１２は、図２に示すように、Ｌ字状の外形形状をしており、先端部分が主部２１０と対向する。
【００２３】
側板２１は、主部２１０と連結部２１１と外鍔部２１２とが一体的に形成される。側板２１は、金属板の打ち抜き加工及び曲げ加工で形成される。側板２１の金属板としては、例えば、鋼板が挙げられる。側板２１は、白色の塗料が塗布されている。側板２１は、表面に白色の塗料が塗布されていることで、ＬＥＤ３００の光に対し反射率を高めることができる。底板２０と側板２１とは、一体的に形成される構成でもよいし、底板２０と側板２１とが別体に形成される構成でもよい。底板２０と側板２１とは、別体に形成される場合、例えば、溶接などの適宜の方向で底板２０と側板２１とが接合される。
【００２４】
２つの補強板２２の各々は、図４及び図６に示すように、長尺の外形形状をしている。各補強板２２の各々は、長手方向に直交する断面視において、Ｃ字状の外形形状をしている。各補強板２２は、複数の長孔部２２０を有している。各長孔部２２０は、補強板２２の厚み方向に貫通する。各長孔部２２０は、長手方向が補強板２２の短手方向に沿うように設けられる。２つの補強板２２は、長手方向が互いに平行で、かつ所定の間隔を隔てて隣り合うように配置される。２つの補強板２２の各々は、ねじにより、底板２０にねじ止めされる。補強板２２は、底板２０にねじ止めされた場合、図５Ｃに示すように、長孔部２２０が底板２０の取付孔２３と重なるように配置される。各補強板２２の各々は、金属板により形成される。補強板２２の金属板としては、例えば、鋼板が挙げられる。
【００２５】
第１端子台１０は、図４に示すように、底板２０に取り付けられる。第１端子台１０は、底板２０の中央部に配置される。第１端子台１０は、電灯線と電気的に接続される。第２端子台１１は、底板２０に取り付けられる。第２端子台１１は、２つの電線挿通孔２４の間に挟まれるように、底板２０に配置される。第２端子台１１は、信号線と電気的に接続される。
【００２６】
２つの引掛ばね１２は、図４及び図６に示すように、矩形状の底板２０の一辺に沿った両端部に取り付けられる。各引掛ばね１２は、帯状の板材によって形成される。帯状の板材は、ばね性を有している。
【００２７】
４つのＬＥＤユニット３それぞれは、同一の構成をしている。以下では、１つのＬＥＤユニット３の構成を、図１から図３に基づいて説明する。ＬＥＤユニット３は、図１に示すように、導光板５と、ＬＥＤモジュール３０と、複数のピン３６と、一対の挟持部材３９と、を有している。一対の挟持部材３９は、互いに異なる形状を構成されている。以下では、一対の挟持部材３９のうち、一方の挟持部材３９を第１挟持部材３１と称し、一対の挟持部材３９のうち、一方と反対の他方の挟持部材３９を第２挟持部材３２とも称する。ＬＥＤユニット３は、第１反射シート３３と、第２反射シート３４と、弾性シート３５と、を有している。ＬＥＤユニット３は、更に、図２及び図３に示すように、結合ねじ３７と、スペーサ部材３８ａと、固定ねじ３８ｂと、を有している。
【００２８】
ＬＥＤモジュール３０は、複数のＬＥＤ３００と、実装基板３０１と、一対のコネクタ３０２と、を有している。ＬＥＤ３００は、図３に示すように、ＬＥＤチップ３００ａと、パッケージ３００ｂと、封止部３００ｃと、を備える。パッケージ３００ｂは、ＬＥＤチップ３００ａを収容する凹部を備える。封止部３００ｃは、ＬＥＤチップ３００ａを覆うように凹部に充填される。封止部３００ｃは、透光性を有している。封止部３００ｃの材料としては、例えば、シリコーン樹脂、エポキシ樹脂、若しくはガラスが挙げられる。封止部３００ｃは、蛍光体が含有される。蛍光体は、ＬＥＤチップ３００ａから放射される光により励起されて蛍光を放射する。ＬＥＤ３００は、例えば、ＬＥＤチップ３００ａから放射される青色光と、蛍光体から放射される黄色光との混色とで、白色光を放射できる。ＬＥＤ３００は、ＬＥＤチップ３００ａ、若しくは蛍光体の種類を代えることで、白色光だけでなく、例えば、電球色の光を放射できる。
【００２９】
実装基板３０１は、長尺に形成される。実装基板３０１は、矩形板状の外形形状をしている。実装基板３０１は、配線を有している。配線は、複数のＬＥＤ３００を電気的に接続する。配線は、例えば、銅箔で形成される。実装基板３０１は、複数の第１ねじ挿通孔３０３を有している。複数の第１ねじ挿通孔３０３の各々は、実装基板３０１の厚み方向に貫通する。複数の第１ねじ挿通孔３０３は、実装基板３０１の長手方向に沿って、実装基板３０１の中央部及び実装基板３０１の両端部に設けられる。各第１ねじ挿通孔３０３は、実装基板３０１の短手方向における第１端側に設けられる。
【００３０】
実装基板３０１は、長手方向に沿って、複数のＬＥＤ３００が所定の間隔で直線状に実装される。複数のＬＥＤ３００は、実装基板３０１の短手方向において、実装基板３０１の第１端と反対の第２端側に配置される。一対のコネクタ３０２は、実装基板３０１の長手方向の両端部に実装される。一対のコネクタ３０２は、実装基板３０１の短手方向における第１端側に設けられる。一対のコネクタ３０２は、実装基板３０１の配線と電気的に接続される。一対のコネクタ３０２は、実装基板３０１の配線を介して、複数のＬＥＤ３００へ給電できるように構成される。
【００３１】
第１挟持部材３１は、図１及び図２に示すように、取付板３１０と、第１結合片３１１と、第１支持片３１２と、連結片３１３と、を有している。取付板３１０は、長尺に形成される。取付板３１０は、矩形平板状の外形形状をしている。取付板３１０は、３つの第１ねじ孔３１６を有している。第１ねじ孔３１６は、取付板３１０の長手方向において、取付板３１０の中央部及び取付板３１０の両端部に設けられる。各第１ねじ孔３１６は、取付板３１０の厚み方向に貫通する。取付板３１０は、実装基板３０１の第１ねじ挿通孔３０３を挿通する固定ねじ３８ｂが、第１ねじ孔３１６にねじ止めされる。取付板３１０は、３つのボルト挿通孔を有している。３つのボルト挿通孔は、取付板３１０の長手方向において、取付板３１０の中央部及び取付板３１０の両端部に設けられる。ボルト挿通孔は、取付板３１０の厚み方向に貫通する。
【００３２】
第１結合片３１１は、長尺に形成される。第１結合片３１１は、矩形平板状の外形形状をしている。第１結合片３１１は、３つの雌ねじ部３１４を有している。雌ねじ部３１４は、第１結合片３１１の長手方向に沿って、第１結合片３１１の中央部及び第１結合片３１１の両端部に設けられる。第１結合片３１１は、取付板３１０の長手方向に沿って、取付板３１０の短手方向の第１端に設けられる。第１結合片３１１は、取付板３１０の厚み方向に沿って、突出する。
【００３３】
第１支持片３１２は、長尺に形成される。第１支持片３１２は、矩形平板状の外形形状をしている。第１支持片３１２は、３つの第１ピン挿通孔３１５を有している。第１ピン挿通孔３１５は、第１支持片３１２の長手方向に沿って、第１支持片３１２の中央部及び第１支持片３１２の両端部に設けられる。第１ピン挿通孔３１５は、第１支持片３１２の厚み方向に貫通する。
【００３４】
各第１ピン挿通孔３１５は、長孔の外形形状をしている。第１支持片３１２の長手方向の中央部の第１ピン挿通孔３１５は、長孔の長手方向が第１支持片３１２の長手方向と交差する方向に設けられる。第１支持片３１２の長手方向の両端部の第１ピン挿通孔３１５は、長孔の長手方向が第１支持片３１２の長手方向に沿うように設けられる。
【００３５】
連結片３１３は、長尺に形成される。連結片３１３は、図１及び図２に示すように、連結片３１３の長手方向から見て、Ｌ字状の外形形状をしている。連結片３１３は、取付板３１０の長手方向に沿って、取付板３１０の短手方向の第１端と反対の第２端に設けられる。連結片３１３は、取付板３１０の厚み方向に沿って突出する。連結片３１３は、第１結合片３１１と対向するように配置される。連結片３１３は、取付板３１０と反対側で、第１支持片３１２と連結される。連結片３１３は、第１支持片３１２の長手方向に沿って、第１支持片３１２の短手方向の一端と連結される。連結片３１３は、取付板３１０の短手方向に沿って、第１支持片３１２を取付板３１０の第２端よりも第１結合片３１１に近づける。
【００３６】
第１挟持部材３１は、取付板３１０と第１結合片３１１と第１支持片３１２と連結片３１３とが一体に形成される。第１挟持部材３１は、金属板の打ち抜き加工及び折り曲げ加工により形成される。第１挟持部材３１の金属板としては、例えば、鋼板が挙げられる。
【００３７】
第２挟持部材３２は、図１及び図２に示すように、底壁片３２０と、第２結合片３２１と、第２支持片３２２と、補強片３２３と、を有している。底壁片３２０は、長尺に形成される。底壁片３２０は、矩形平板状の外形形状をしている。底壁片３２０は、３つの窓孔３２６を有している。３つの窓孔３２６は、底壁片３２０の長手方向に沿って、底壁片３２０の中央部及び底壁片３２０の両端部に設けられる。各窓孔３２６は、底壁片３２０の厚み方向に貫通する。各窓孔３２６は、矩形の外形形状をしている。
【００３８】
第２結合片３２１は、長尺に形成される。第２結合片３２１は、矩形平板状の外形形状をしている。第２結合片３２１は、底壁片３２０の長手方向に沿って、底壁片３２０における短手方向の第１端に設けられる。第２結合片３２１は、底壁片３２０の厚み方向に沿って突出する。第２結合片３２１は、３つの第２ねじ挿通孔３２４を有している。３つの第２ねじ挿通孔３２４は、第２結合片３２１の長手方向に沿って、第２結合片３２１の中央部及び第２結合片３２１の両端部に設けられる。各第２ねじ挿通孔３２４は、第２結合片３２１の厚み方向に貫通する。各第２ねじ挿通孔３２４は、円形の外形形状をしている。
【００３９】
第２支持片３２２は、長尺に形成される。第２支持片３２２は、矩形平板状の外形形状をしている。第２支持片３２２は、底壁片３２０の長手方向に沿って、底壁片３２０の短手方向の第１端と反対の第２端に配置される。第２支持片３２２は、底壁片３２０の厚み方向に沿って、突出する。第２支持片３２２は、第２結合片３２１と対向して配置される。第２支持片３２２は、３つの第２ピン挿通孔３２５を有している。３つの第２ピン挿通孔３２５は、第２支持片３２２の長手方向に沿って、第２支持片３２２の中央部及び第２支持片３２２の両端部に設けられる。
【００４０】
各第２ピン挿通孔３２５は、長孔の外形形状をしている。各第２ピン挿通孔３２５は、第２支持片３２２の厚み方向に貫通する。第２ピン挿通孔３２５は、第１ピン挿通孔３１５と対応して設けられる。第２支持片３２２の長手方向の中央部の第２ピン挿通孔３２５は、長孔の長手方向が第２支持片３２２の長手方向と交差する方向に設けられる。第２支持片３２２の長手方向の両端部の第２ピン挿通孔３２５は、長孔の長手方向が第２支持片３２２の長手方向に沿うように設けられる。
【００４１】
補強片３２３は、長尺に形成される。補強片３２３は、矩形平板状の外形形状をしている。補強片３２３は、第２支持片３２２の長手方向に沿って、第２支持片３２２の短手方向における底壁片３２０と反対側に配置される。補強片３２３は、第２支持片３２２の厚み方向に沿って突出する。補強片３２３は、底壁片３２０と対向するように配置される。
【００４２】
第２挟持部材３２は、底壁片３２０と第２結合片３２１と第２支持片３２２と補強片３２３とが一体に形成される。第２挟持部材３２は、金属板の打ち抜き加工及び折り曲げ加工により形成される。第２挟持部材３２の金属板としては、例えば、鋼板が挙げられる。
【００４３】
第１反射シート３３は、図１に示すように、長尺に形成される。第１反射シート３３は、第１基部３３０と、第１側部３３１と、第１固定部３３２と、を有している。第１基部３３０は、長尺に形成される。第１基部３３０は、矩形平板状の外形形状をしている。第１側部３３１は、第１基部３３０の長手方向に沿って、第１基部３３０の短手方向の第１端に設けられる。第１側部３３１は、第１基部３３０の厚み方向に沿って突出する。第１固定部３３２は、第１基部３３０の長手方向に沿って、第１基部３３０の短手方向における第１端と反対の第２端に設けられる。第１固定部３３２は、第１基部３３０の厚み方向に沿って突出する。第１固定部３３２は、第１側部３３１と対向して配置される。
【００４４】
第１固定部３３２は、３つの第１ピン孔３３３を有している。３つの第１ピン孔３３３は、第１固定部３３２の長手方向に沿って、第１固定部３３２の中央部及び第１固定部３３２の両端部に設けられる。各第１ピン孔３３３は、第１固定部３３２の厚み方向に貫通する。
【００４５】
各第１ピン孔３３３は、長孔の外形形状をしている。第１ピン孔３３３は、第１挟持部材３１の第１ピン挿通孔３１５に対応して配置される。第１固定部３３２の長手方向の中央部の第１ピン孔３３３は、長孔の長手方向が第１固定部３３２の長手方向と交差する方向に設けられる。第１固定部３３２の長手方向の両端部の第１ピン孔３３３は、長孔の長手方向が第１固定部３３２の長手方向に沿うように設けられる。
【００４６】
第１反射シート３３は、第１基部３３０と第１側部３３１と第１固定部３３２とが一体に形成される。第１反射シート３３は、表面がＬＥＤ３００からの光に対して、反射性及び拡散性を有している。第１反射シート３３は、電気絶縁性を有している。第１反射シート３３は、樹脂材料で形成される。第１反射シート３３は、白色に着色されている。第１反射シート３３の樹脂材料としては、例えば、ポリエチレンテレフタレートが挙げられる。
【００４７】
第２反射シート３４は、図１に示すように、長尺に形成される。第２反射シート３４は、第２基部３４０と、第２固定部３４１と、を有している。第２基部３４０は、長尺に形成される。第２基部３４０は、矩形平板状の外形形状をしている。第２固定部３４１は、長尺に形成される。第２固定部３４１は、矩形平板状の外形形状をしている。第２固定部３４１は、第２基部３４０の長手方向に沿って、第２基部３４０の短手方向の片端に設けられる。第２固定部３４１は、第２基部３４０の厚み方向に沿って突出する。
【００４８】
第２固定部３４１は、３つの第２ピン孔３４２を有している。３つの第２ピン孔３４２は、第２固定部３４１の長手方向に沿って、第２固定部３４１の中央部及び第２固定部３４１の両端部に設けられる。各第２ピン孔３４２は、第２固定部３４１の厚み方向に貫通する。
【００４９】
各第２ピン孔３４２は、長孔の外形形状をしている。第２ピン孔３４２は、第２挟持部材３２の第２ピン挿通孔３２５に対応して配置される。第２固定部３４１の長手方向の中央部の第２ピン孔３４２は、長孔の長手方向が第２固定部３４１の長手方向と交差する方向に設けられる。第２固定部３４１の長手方向の両端部の第２ピン孔３４２は、長孔の長手方向が第２固定部３４１の長手方向に沿うように設けられる。
【００５０】
第２反射シート３４は、第２基部３４０と第２固定部３４１とが一体に形成される。第２反射シート３４は、第１反射シート３３と同様に、表面がＬＥＤ３００からの光に対して、反射性及び光拡散性を有している。第２反射シート３４は、電気絶縁性を有している。第２反射シート３４は、第１反射シート３３と同じ樹脂材料で形成される。第２反射シート３４は、第１反射シート３３と同じ樹脂材料で形成される場合だけでなく、異なる樹脂材料で形成されてもよい。
【００５１】
弾性シート３５は、長尺に形成される。弾性シート３５は、矩形平板状の外形形状している。弾性シート３５は、弾性を有する材料によって形成される。弾性シート３５の材料としては、例えば、シリコーンゴムが挙げられる。
【００５２】
複数のピン３６の各々は、図２に示すように、ピン本体３６０と、フランジ３６１と、を有している。ピン本体３６０は、円柱状の外形形状をしている。フランジ３６１は、円環板状の外形形状をしている。フランジ３６１は、ピン本体３６０の長手方向に沿ったピン本体３６０の中央部に設けられる。フランジ３６１は、ピン本体３６０の軸周りに沿って、外方へ突出する。ピン３６は、必ずしもフランジ３６１を備えていなくてもよく、ピン本体３６０だけで構成されてもよい。ピン本体３６０は、雄ねじが形成されてもよい。ピン本体３６０の直径は、第１挟持部材３１の第１ピン挿通孔３１５及び第２挟持部材３２の第２ピン挿通孔３２５それぞれの短手方向の長さよりも僅かに小さい。
【００５３】
導光板５は、図１及び図２に示すように、長尺に形成される。導光板５は、矩形平板状の外形形状をしている。導光板５は、３つの貫通孔５０を有している。３つの貫通孔５０は、導光板５の長手方向の中央部と導光板５の両端部に設けられる。３つの貫通孔５０の各々は、導光板５の短手方向の一端部に設けられる。各貫通孔５０は、導光板５の厚み方向に貫通する。各貫通孔５０は、円形の外形形状をしている。各貫通孔５０は、ピン本体３６０の外形よりも若干大きく形成される。貫通孔５０には、ピン３６のピン本体３６０が挿通される。貫通孔５０は、ピン３６のフランジ３６１が挿通されてないように形成される。導光板５は、貫通孔５０にピン３６が挿通されることで、ピン３６が導光板５に取り付けられる。導光板５は、厚み方向に対向する一対の主面のうち、第１主面５ａａが器具本体２の側板２１と対向するように配置される。導光板５は、第１主面５ａａと反対の第２主面５ａｂに凹凸を有している。導光板５は、図２に示すように、第２主面５ａｂが反射部材４に向かうように配置される。
【００５４】
導光板５は、一対の挟持部材３９で挟まれる場合、第１支持片３１２の長手方向の中央部の第１ピン挿通孔３１５と、第２支持片３２２の長手方向の中央部の第２ピン挿通孔３２５とに、１つのピン３６が挿通される。導光板５は、一対の挟持部材３９で挟まれる場合、第１支持片３１２の長手方向の一方の端部の第１ピン挿通孔３１５と、第２支持片３２２の長手方向の一方の端部の第２ピン挿通孔３２５とに、１つのピン３６が挿通される。導光板５は、一対の挟持部材３９で挟まれる場合、第１支持片３１２の長手方向の一方と反対の他方の端部の第１ピン挿通孔３１５と、第２支持片３２２の長手方向の一方と反対の他方の端部の第２ピン挿通孔３２５とに、１つのピン３６が挿通される。
【００５５】
導光板５は、一対の挟持部材３９で挟まれる場合、第１反射シート３３の第１固定部３３２及び弾性シート３５を介して、第１挟持部材３１の第１支持片３１２により、導光板５の厚み方向から第１主面５ａａが押される。導光板５は、一対の挟持部材３９で挟まれる場合、第２反射シート３４の第２固定部３４１を介して、第２挟持部材３２の第２支持片３２２により、導光板５の厚み方向から第２主面５ａｂが押される。
【００５６】
導光板５は、透光性を有している。導光板５は、樹脂材料の成形体である。導光板５の樹脂材料としては、例えば、アクリル樹脂、若しくはポリカーボネート樹脂が挙げられる。
【００５７】
固定部材７は、図２及び図３に示すように、スペーサ部材３８ａと、固定ねじ３８ｂと、で構成される。スペーサ部材３８ａは、固定本体７ａと、スペーサ７ｂと、突出片７ｃと、を有している。固定本体７ａは、長尺に形成される。固定本体７ａは、矩形平板状の外形形状をしている。固定本体７ａは、厚み方向に貫通する孔が設けられている。スペーサ７ｂは、長尺に形成される。スペーサ７ｂは、角柱状の外形形状をしている。スペーサ７ｂは、正面視において、固定本体７ａの長手方向の一端であって、固定本体７ａの短手方向の中央部に設けられている。スペーサ７ｂは、固定本体７ａの厚み方向に直交する外方に突出する。
【００５８】
突出片７ｃは、長尺に形成される。突出片７ｃは、矩形平板状の外形形状をしている。突出片７ｃは、固定本体７ａの長手方向の第１端において、固定本体７ａの短手方向に沿って配置される。突出片７ｃは、正面視において、固定本体７ａを介して、スペーサ７ｂと反対に設けられる。突出片７ｃは、固定本体７ａの厚み方向に沿って突出する。突出片７ｃの突出量は、実装基板３０１の厚みよりも若干小さい。突出片７ｃは、実装基板３０１の側端縁３０１ｃと当たるように、側端縁３０１ｃに沿って配置される。
【００５９】
スペーサ部材３８ａは、固定本体７ａが実装基板３０１の第１端側に配置されている。固定本体７ａは、隣接する２つのＬＥＤ３００の間に配置されていない。スペーサ部材３８ａは、固定本体７ａの厚み方向に貫通する孔に、固定ねじ３８ｂが挿通される。
【００６０】
スペーサ部材３８ａは、樹脂材料で形成される。スペーサ部材３８ａの樹脂材料は、例えば、アクリル樹脂、エポキシ樹脂、若しくはシリコーン樹脂が挙げられる。スペーサ部材３８ａは、樹脂材料に光拡散材が含有される。光拡散材は、例えば、チタン酸バリウム、若しくは二酸化ケイ素が挙げられる。スペーサ部材３８ａは、樹脂材料中にチタン酸バリウム、若しくは二酸化ケイ素などの光拡散材が含有されているので、複数のＬＥＤ３００からの光を反射する白色の材質となる。スペーサ部材３８ａは、樹脂材料で形成される場合だけに限られない。スペーサ部材３８ａは、金属材料で形成されてもよい。スペーサ部材３８ａは、金属材料で形成される場合、スペーサ部材３８ａの表面に白色の塗膜を有することで、複数のＬＥＤ３００からの光を反射するように形成されてもよい。白色の塗膜は、例えば、チタン酸バリウム、若しくは二酸化ケイ素などの光拡散材が含有される。
【００６１】
反射部材４は、図４、図５Ａ及び図６に示すように、反射板４０と、４つの反射側板４１と、２つの引掛具４２と、取付ばね４３と、を有している。反射板４０は、矩形平板状の外形形状をしている。反射板４０は、正面視において、器具本体２における底板２０と相似形をしている。反射板４０は、器具本体２の底板２０よりも若干小さく形成される。反射側板４１は、図４及び図６に示すように、反射板４０の４つの辺に沿って設けられる。反射側板４１の各々は、反射板４０の厚み方向に沿って突出する。反射側板４１は、反射板４０と一体に形成される。
【００６２】
反射部材４は、金属板の打ち抜き加工及び折り曲げ加工によって形成される。反射部材４の金属板としては、例えば、鋼板が挙げられる。反射部材４は、器具本体２に囲まれるように配置される。
【００６３】
引掛具４２は、図６に示すように、側面視において、菱形の板状の外形形状をしている。引掛具４２は、反射板４０の厚み方向において、反射側板４１と同じ向きに突出する。引掛具４２は、図４及び図６に示す引掛ばね１２に対応して、矩形状の反射板４０の一辺に沿った両端部に配置される。各引掛具４２は、対応する引掛ばね１２に挟み持たれる。
【００６４】
取付ばね４３は、反射板４０に取り付けられる。取付ばね４３は、例えば、ねじりコイルばねである。取付ばね４３は、図５Ｂ及び図５Ｃに示すように、ねじりコイルばねのコイル部が、器具本体２の引掛孔２５から外方へ突出できるように配置される。
【００６５】
電源ユニット６は、図４に示すように、器具本体２の底板２０に取り付けられる。電源ユニット６は、ハウジング６１を有している。ハウジング６１は、長尺に形成される。ハウジング６１は、一面が開放された矩形箱状の外形形状をしている。ハウジング６１は、開口が底板２０で塞がれるように配置される。ハウジング６１は、例えば、取付ねじにより、底板２０に取り付けられる。ハウジング６１は、金属製の板材で形成される。ハウジング６１は、金属製の板材の打ち抜き加工及び折り曲げ加工によって形成される。ハウジング６１は、内部に電源基板を収容する。電源基板は、第１端子台１０を介して、電灯線と電気的に接続される。電源基板は、第２端子台１１を介して、信号線と電気的に接続される。
【００６６】
電源基板には、複数種の電装部品が実装される。複数種の電装部品としては、例えば、トランス、ダイオード、コンデンサ、スイッチング素子及びスイッチング素子をスイッチング制御するドライブＩＣ(Integrated Circuit)などが挙げられる。複数種の電装部品は、適宜に電気的に接続され、電源回路を構成する。電源回路は、ＬＥＤ３００の点灯電力を生成する。電源回路は、実装基板３０１における一対のコネクタ３０２に所定の電力を供給する。電源回路は、例えば、昇圧チョッパ回路及び降圧チョッパ回路を備えている。電源回路は、商用交流電源などの外部電源からの交流電圧を直流電圧に整流する。電源回路は、整流した直流電圧を昇圧及び降圧し、所定の目標値に一致する電流を出力する。電源ユニット６とＬＥＤユニット３とは、電源線によって、電気的に接続される。電源線は、電源ユニット６からＬＥＤユニット３に電力を供給する給電用の電線である。
【００６７】
照明器具１Ｘは、電源ユニット６からＬＥＤユニット３に給電させることで、ＬＥＤ３００を点灯する。ＬＥＤ３００から放射される光は、導光板５の一端面５ａから導光板５に入射し、導光板５の内部を導光する。導光板５を導光する光は、導光板５の第２主面５ａｂに形成された凹凸によって拡散して外部に出射される。導光板５の第２主面５ａｂから出射され、かつ拡散された光は、器具本体２の内部の反射板４０で反射される。反射板４０で反射された光は、反射板４０と対向する被照射面に照射される。
【００６８】
以下では、照明器具１Ｘの組み立て工程について説明する。最初に、ＬＥＤユニット３の組立工程について説明する。
【００６９】
ＬＥＤユニット３の組み立て工程では、第１挟持部材３１の取付板３１０に、第１反射シート３３の第１基部３３０及びＬＥＤモジュール３０が順に重なるように、第１挟持部材３１と第１反射シート３３とＬＥＤモジュール３０とが配置される。スペーサ部材３８ａの固定本体７ａに設けられた孔と、ＬＥＤモジュール３０の実装基板３０１の第１ねじ挿通孔３０３と、第１反射シート３３の第１基部３３０に設けられた孔とに、固定ねじ３８ｂが挿通される。固定ねじ３８ｂが、スペーサ部材３８ａ、ＬＥＤモジュール３０及び第１反射シート３３を介して、第１挟持部材３１の取付板３１０の第１ねじ孔３１６にねじ込まれる。固定ねじ３８ｂが第１ねじ孔３１６にねじ込まれることで、図２に示すように、スペーサ部材３８ａ、ＬＥＤモジュール３０及び第１反射シート３３が、第１挟持部材３１の取付板３１０に固定される。スペーサ部材３８ａは、図３に示すように、固定ねじ３８ｂが取付板３１０に固定された状態で、固定本体７ａが実装基板３０１の短手方向の第１端側に配置される。スペーサ７ｂは、固定本体７ａから実装基板３０１の短手方向の第２端側に向かって突出する。スペーサ部材３８ａは、固定ねじ３８ｂが取付板３１０に固定された状態で、隣接する２つのＬＥＤ３００の間にスペーサ７ｂの先端部が配置される。スペーサ部材３８ａは、固定ねじ３８ｂが取付板３１０に固定された状態で、突出片７ｃが実装基板３０１の側端縁３０１ｃと当たる。
【００７０】
次に、ピン３６のピン本体３６０が、第２反射シート３４の第２ピン孔３４２と、導光板５の貫通孔５０と、第１反射シート３３の第１ピン孔３３３と、第１挟持部材３１の第１ピン挿通孔３１５とに順に挿通される。続いて、ピン３６のピン本体３６０が、フランジ３６１を介して、第２挟持部材３２の第２ピン挿通孔３２５に挿通される。第２挟持部材３２の第２結合片３２１は、第１挟持部材３１の第１結合片３１１と重ね合される。第２結合片３２１の第２ねじ挿通孔３２４に挿通される結合ねじ３７が、第１結合片３１１の雌ねじ部３１４にねじ込まれる。第２反射シート３４の第２固定部３４１と、第２支持片３２２との間には、図２に示すように、弾性シート３５が挟み込まれる。
【００７１】
結合ねじ３７が雌ねじ部３１４にねじ込まれることで、第１挟持部材３１の第１結合片３１１と第２挟持部材３２の第２結合片３２１とが結合される。第１挟持部材３１と第２挟持部材３２とは、３本のピン３６が導光板５の厚み方向に貫通した状態で、導光板５を挟み持つ。導光板５の一端面５ａは、第１挟持部材３１の取付板３１０に取り付けられたＬＥＤモジュール３０の複数のＬＥＤ３００及びスペーサ７ｂと対向する。導光板５は、ピン３６を介して、第１挟持部材３１の第１支持片３１２と、第２挟持部材３２の第２支持片３２２とで、厚み方向から挟まれて支持される。第１挟持部材３１と第２挟持部材３２とが導光板５を挟み持つことで、ＬＥＤユニット３が組み立てられる。ＬＥＤユニット３は、導光板５の一端面５ａと複数のＬＥＤ３００との距離が、隣接する２つのＬＥＤ３００の間の距離よりも小さくなるように、導光板５と実装基板３０１とが配置される。
【００７２】
次に、ＬＥＤユニット３が器具本体２に取り付けられる。組立工程では、ＬＥＤユニット３における取付板３１０が器具本体２の底板２０に重ねられる。取付板３１０は、正面視が矩形状の底板２０における側縁に沿って配置される。第２挟持部材３２の底壁片３２０における窓孔３２６を通して、ボルト１３が、第１挟持部材３１の取付板３１０におけるボルト挿通孔と、器具本体２の底板２０に設けられている孔に挿通される。ボルト１３は、図２に示すように、第１挟持部材３１の取付板３１０と、底板２０とを挟むように、ナット１４が締め付けられる。ボルト１３がナット１４に締め付けられることで、ＬＥＤユニット３が器具本体２の底板２０の周縁部分に取り付けられる。器具本体２の底板２０における各周縁部分の各々に、ＬＥＤユニット３が取り付けられる。すなわち、本実施形態に係る照明器具１Ｘは、上述のＬＥＤユニット３と、ＬＥＤユニット３が取り付けられる器具本体２と、を備える。
【００７３】
以下では、本実施形態のＬＥＤユニット３が、組立作業性の向上を図れることについて説明する。
【００７４】
ところで、ＬＥＤユニットでは、ＬＥＤからの光を効率よく導光板に入射させるために、導光板の一端面とＬＥＤとの距離をできるだけ近づけることが好ましい。ＬＥＤユニットは、ＬＥＤの点灯、若しくは消灯に起因して、導光板が熱膨張、若しくは熱収縮する。ＬＥＤユニットでは、ＬＥＤからの光を効率よく導光板に入射させるために、導光板の一端面とＬＥＤとが当たった状態にすると、導光板の熱膨張若しくは熱収縮に起因して、ＬＥＤに応力が加わる場合がある。ＬＥＤは、導光板から応力が加わると実装基板との電気的接続及び機械的接続の信頼性が低下するだけでなく不灯となる場合がある。
【００７５】
ＬＥＤユニットは、ＬＥＤで生じた熱が導光板に伝わることを抑制するため、導光板の一端面とＬＥＤとの間に所定の隙間を設けることが考えられる。ＬＥＤユニットは、導光板の一端面とＬＥＤとの間に隙間が設けられていれば、導光板が膨張などしても、導光板がＬＥＤに応力が掛かることを抑制できる。
【００７６】
ＬＥＤユニットでは、導光板の一端面とＬＥＤとの間に所定の隙間を維持して組み立て作業を行う場合、組み立て作業中に導光板とＬＥＤとが当たる場合がある。ＬＥＤユニットでは、導光板とＬＥＤとが当たるとＬＥＤが損傷するおそれもある。ＬＥＤユニットでは、単に、導光板の一端面とＬＥＤとが当たらないように導光板の一端面とＬＥＤとの間に所定の隙間を維持して組み立て作業を行う場合、導光板の一端面とＬＥＤとが接して組み立て作業を行う場合と比較して、組立作業性が悪くなる傾向にある。
【００７７】
ＬＥＤユニットでは、導光板の一端面とＬＥＤとが当たらないように、スペーサを実装基板に配置することも考えられる。ＬＥＤユニットは、単に、新たにスペーサを設ける場合、別途にスペーサを取り付ける作業が増えて、組立作業性の向上を図ることが難しい。
【００７８】
本実施形態のＬＥＤユニット３では、固定部材７は、スペーサ７ｂを有するスペーサ部材３８ａと、スペーサ部材３８ａごと実装基板３０１を取付板３１０に固定させる固定ねじ３８ｂと、を備えている。スペーサ７ｂは、導光板５の一端面５ａと複数のＬＥＤ３００とが接触することを防ぐ。固定部材７は、実装基板３０１を取付板３１０に固定する機能と、導光板５の一端面５ａと複数のＬＥＤ３００とが当たることを防止する機能と、を兼ね備えている。本実施形態のＬＥＤユニット３は、固定部材７が実装基板３０１を取付板３１０に固定する機能及び導光板５の一端面５ａと複数のＬＥＤ３００とが当たることを防止する機能を兼ね備えており、別途にスペーサを取り付ける必要もなく、組立作業性の向上を図れる。
【００７９】
また、導光板を備えたＬＥＤユニットでは、隣接する２つのＬＥＤの間にＬＥＤからの光が吸収される部材があると、導光板から放射される光に色むらが目立ちやすい傾向にある。ＬＥＤユニットでは、隣接する２つのＬＥＤの間にスペーサが配置される場合、スペーサに吸収されるＬＥＤからの光が多くなると、導光板から放射される光に色むらが目立つおそれがある。特に、ＬＥＤユニットでは、スペーサが複数のＬＥＤの間の全部に配置されない場合もある。ＬＥＤユニットでは、隣接する２つのＬＥＤの間にスペーサが設けられる構成と、隣接する２つのＬＥＤの間にスペーサが設けられない構成とが混在する場合、導光板から放射される光に色むらが顕在化するおそれがある。
【００８０】
本実施形態のＬＥＤユニット３は、隣接する２つのＬＥＤ３００の間に配置されたスペーサ７ｂが、光拡散材が含有された樹脂成形品により形成されている。スペーサ７ｂは、光拡散材が含有された樹脂成形品で、複数のＬＥＤ３００からの光を効率よく拡散反射する白色の材質となっている。スペーサ７ｂは、複数のＬＥＤ３００からの光を効率よく拡散反射する白色の材質となっているので、導光板５から放射される光に色むらが生ずることを抑制できる。スペーサ７ｂは、例えば、ＬＥＤ３００からの光のうち、可視光の８０％以上が拡散反射できればよい。
【００８１】
言い換えれば、本実施形態のＬＥＤユニット３では、スペーサ７ｂは、少なくとも表面が複数のＬＥＤ３００からの光を拡散反射する材質で形成されることが好ましい。
【００８２】
本実施形態のＬＥＤユニット３では、スペーサ７ｂは、表面が複数のＬＥＤ３００からの光を拡散反射する材質で形成されているので、隣接する全てのＬＥＤ３００の間にスペーサ７ｂが設けられていない場合でも、色むらが生ずることを抑制できる。
【００８３】
また、ＬＥＤユニットでは、スペーサを有する固定本体を、固定ねじでねじ止めする場合、固定ねじのねじ止めに伴って、固定ねじの軸周りに、スペーサが回転するおそれがある。
【００８４】
本実施形態のＬＥＤユニット３では、固定部材７は、突出片７ｃを有している。突出片７ｃは、実装基板３０１の厚み方向に突出する。突出片７ｃは、実装基板３０１の側端縁３０１ｃと当たる。突出片７ｃは、スペーサ７ｂが実装面３０１ａにおいて、側端縁３０１ｃと交差する方向へ回転することを抑制することが好ましい。
【００８５】
本実施形態のＬＥＤユニット３は、突出片７ｃが実装基板３０１の側端縁３０１ｃと交差する方向へスペーサ７ｂが回転することを抑制するので、実装基板３０１の取付板３１０への固定が安定化される。ＬＥＤユニット３は、スペーサ７ｂが固定ねじ３８ｂで取付板３１０にねじ止めされる場合、スペーサ７ｂが突出片７ｃで固定ねじ３８ｂの軸周りに回転することを抑制される。
【００８６】
以下では、照明器具１Ｘの施工工程について、簡単に説明する。
【００８７】
照明器具１Ｘの施工工程では、器具本体２が天井材に設けられた埋込孔に埋め込まれる。埋込孔からは、複数の吊りボルトが室内空間に露出している。器具本体２では、吊りボルトが、底板２０の取付孔２３及び２つの補強板２２の長孔部２２０にそれぞれ挿通される。取付孔２３及び長孔部２２０にそれぞれ挿通された吊りボルトにナットが締め付けられる。照明器具１Ｘは、吊りボルトにナットが締め付けられることで、器具本体２が吊りボルトに取り付けられる。器具本体２の側板２１の外鍔部２１２により、側板２１と埋込孔との隙間が目隠しされる。
【００８８】
次に、取付ばね４３の一対の腕部のそれぞれの先端部分に設けられている引掛部が、器具本体２の底板２０の引掛孔２５の周縁に引っ掛けられる。反射部材４は、取付ばね４３により、底板２０に吊り下げられた状態で器具本体２に仮保持される。反射部材４が器具本体２に仮保持された状態で、底板２０の２つの電線挿通孔２４のうち、一方の電線挿通孔２４から引き込まれる電灯線が、第１端子台１０と電気的に接続される。底板２０の２つの電線挿通孔２４のうち、他方の電線挿通孔２４から引き込まれる信号線は、第２端子台１１と電気的に接続される。
【００８９】
最後に、反射部材４が器具本体２における底板２０と４つの側板２１とで囲まれた空間内に収容される。取付ばね４３の一対の腕部が引掛孔２５に挿入されながら外向きに広がり、一対の腕部のそれぞれの根元となるコイル部に近い部分が底板２０の引掛孔２５の周縁に引っ掛けられる。２つの引掛具４２それぞれが、図４及び図６に示すように、器具本体２の底板２０に取り付けられている２つの引掛ばね１２に引っ掛けられる。反射部材４は、図５Ａ、図６及び図７に示すように、器具本体２の内部空間に収容された状態で、取付ばね４３と２つの引掛ばね１２のばね力によって、器具本体２に支持される。照明器具１Ｘは、天井材の埋込孔に埋め込まれた状態で施工される。
【００９０】
次に、本実施形態の変形例１のＬＥＤユニット３について、図８を参照して説明する。
【００９１】
ところで、ＬＥＤユニットでは、隣接する２つのＬＥＤの間にスペーサが配置される場合、ＬＥＤから導光板へ入射させる光がスペーサで阻害される場合もある。
【００９２】
変形例１のＬＥＤユニット３は、図８に示す側面視において、スペーサ７ｂの短手方向に沿った幅が実装面３０１ａから離れるにつれ狭くなるように、スペーサ７ｂが半円状の傾斜面７ｂａを有している。スペーサ７ｂは、側面視において、半円状の外形形状をしているので、矩形状の外形形状をしている構成と比較して、ＬＥＤ３００からの光がスペーサ７ｂで遮光されることを抑制できる。スペーサ７ｂは、側面視において、半円状の外形形状の構成だけに限られず、半楕円状、若しくは三角形状の外形形状の構成でもよい。
【００９３】
言い換えれば、変形例１のＬＥＤユニット３では、スペーサ７ｂは、隣接する２つのＬＥＤ３００の間において、短手方向に沿った幅が実装面３０１ａから離れるにつれ、より狭いことが好ましい。
【００９４】
変形例１のＬＥＤユニット３は、スペーサ７ｂの短手方向に沿った幅が、実装面３０１ａから離れるにつれて、より狭くなる構成で、ＬＥＤ３００からの光がスペーサ７ｂで遮光されることを抑制できる。
【００９５】
次に、本実施形態の変形例２のＬＥＤユニット３について、図９に基づいて説明する。
【００９６】
変形例２のＬＥＤユニット３では、スペーサ部材３８ａは、固定本体７ａと、スペーサ７ｂと、を有している。固定本体７ａは、円環板状の外形形状をしている。スペーサ７ｂは、角柱状の外形形状をしている。スペーサ７ｂは、正面視において、固定本体７ａの外周から外方に突出する。固定本体７ａは、円環板状の孔に固定ねじ３８ｂの軸が挿通される。スペーサ部材３８ａは、固定本体７ａ及び実装基板３０１を介して、固定ねじ３８ｂが取付板３１０にねじ止めされる。
【００９７】
実装基板３０１は、実装面３０１ａに突起部７ｅを有している。突起部７ｅは、例えば、はんだにより形成される。突起部７ｅは、正面視において、スペーサ７ｂの先端部を挟むように、スペーサ７ｂの短手方向の両側に設けられる。ＬＥＤユニット３は、実装面３０１ａのランドに形成されたはんだを、突起部７ｅとして利用する。突起部７ｅは、はんだだけに限られず、実装面３０１ａから突出する部材であればよい。
【００９８】
変形例２のＬＥＤユニット３は、突起部７ｅがスペーサ７ｂの長手方向と交差する方向へのスペーサ７ｂの移動を規制することで、スペーサ７ｂの位置合わせを行い易くできる。特に、ＬＥＤユニット３は、実装基板３０１が、固定ねじ３８ｂで止められる場合、固定ねじ３８ｂのねじ止めに伴って、スペーサ部材３８ａが固定ねじ３８ｂの軸周りに回転することを防ぐことができる。
【００９９】
言い換えれば、ＬＥＤユニット３では、実装基板３０１は、突起部７ｅを有している。突起部７ｅは、実装基板３０１の厚み方向に沿って、実装面３０１ａから突出する。突起部７ｅは、実装面３０１ａにおいて、スペーサ７ｂの長手方向と交差する方向への回転を規制することが好ましい。
【０１００】
次に、本実施形態の変形例３のＬＥＤユニット３について、図１０から図１２に基づいて、説明する。
【０１０１】
変形例３のＬＥＤユニット３では、固定部材７は、固定本体７ａとスペーサ７ｂと突出片７ｃとに加え、挟持片７ｄを有している。固定本体７ａは、厚み方向に貫通する孔を有していない。突出片７ｃは、矩形平板状の外形形状をしている。突出片７ｃは、固定本体７ａの厚み方向に沿って、突出する。突出片７ｃの突出量は、実装基板３０１の厚みよりも大きい。挟持片７ｄは、矩形平板状の外形形状をしている。挟持片７ｄは、突出片７ｃにおける固定本体７ａと反対側に設けられている。挟持片７ｄは、突出片７ｃによって、固定本体７ａと対向するように配置される。固定部材７は、固定本体７ａと挟持片７ｄとの間隔が、実装基板３０１と取付板３１０との合計した厚みよりも若干狭く形成されている。固定部材７は、固定本体７ａと挟持片７ｄとが所定の間隔を維持できるように、弾性を有している。
【０１０２】
取付板３１０は、開口孔３１ａａを有している。開口孔３１ａａは、取付板３１０の厚み方向に貫通している。開口孔３１ａａは、正面視において、矩形状に形成される。開口孔３１ａａは、固定部材７の挟持片７ｄが挿入される。開口孔３１ａａに挿入された挟持片７ｄは、実装基板３０１の短手方向に沿ってスライドさせられる。固定部材７は、突出片７ｃが側端縁３０１ｃに当たるまで、挟持片７ｄがスライドさせられると、固定本体７ａと挟持片７ｄとで実装基板３０１の端部を厚み方向から挟む。固定部材７は、固定本体７ａと挟持片７ｄとで実装基板３０１の端部を厚み方向から挟む構造をしているので、固定ねじ３８ｂを用いることなく、実装基板３０１を取付板３１０に固定できる。固定部材７は、固定ねじ３８ｂを用いることなく、実装基板３０１が取付板３１０に固定できるので、より組立作業性の向上を図ることができる。固定部材７は、弾性性の成形品で形成されている。固定部材７の樹脂材料としては、例えば、フッ素樹脂、エポキシ樹脂、若しくはシリコーン樹脂が挙げられる。
【０１０３】
言い換えれば、変形例３のＬＥＤユニット３では、固定部材７は、固定本体７ａと、挟持片７ｄと、を有している。固定本体７ａと挟持片７ｄとは、実装基板３０１の厚み方向に沿って、実装基板３０１及び取付板３１０を介して対向して配置される。固定部材７は、固定本体７ａと挟持片７ｄとで、実装基板３０１の端部を厚み方向から挟み持つクリップ構造を有することが好ましい。
【０１０４】
本実施形態のＬＥＤユニット３及びそれを備えた照明器具１Ｘは、上述の変形例１ないし変形例３のいずれかの構成を適宜に適用して構成されてもよい。
【０１０５】
本発明は、上述の実施形態に限定されず、本発明に係る技術的思想を逸脱しない範囲で、種々変更することができる。
【符号の説明】
【０１０６】
１Ｘ  照明器具
２  器具本体
３  ＬＥＤユニット
５  導光板
５ａ  一端面
７  固定部材
７ａ  固定本体
７ｂ  スペーサ
７ｃ  突出片
７ｄ  挟持片
７ｅ  突起部
３００  ＬＥＤ
３０１  実装基板
３０１ａ  実装面
３０１ｃ  側端縁
３１０  取付板
【図１】
2018006096.tif 000003
【図２】
2018006096.tif 000004
【図３】
2018006096.tif 000005
【図４】
2018006096.tif 000006
【図５】
2018006096.tif 000007
【図６】
2018006096.tif 000008
【図７】
2018006096.tif 000009
【図８】
2018006096.tif 000010
【図９】
2018006096.tif 000011
【図１０】
2018006096.tif 000012
【図１１】
2018006096.tif 000013
【図１２】
2018006096.tif 000014